(57)【要約】【課題】  衣服の店頭陳列用ボディトルソーの改良に関する。【解決手段】  隅部を面取り段ボール、板紙、合成紙などの横長矩形状のシート（２）、該シート本体（２）の中央部より上方に偏って透孔（５）を設け、該透孔を挟んで長手方向にハンガーの肩部支持用のコ字状長孔（７）を設け、またコ字状長孔の基端部よりシート本体の短辺側の直線部分を山折してハンガー肩部支持片（13）に形成するとともに前記コ字状長孔の中心線部よりシート本体を二つ折りして、シート本体を前身頃部（９）と後身頃部（10）とに形成した紙製の衣服陳列用ボデイトルソーである。【選択図】  図１
0003121250.tif 000002
【実用新案登録請求の範囲】
【請求項１】
隅部を面取りした段ボール、板紙、合成紙などの横長矩形状のシート本体、該シート本体の中央部より上方（長辺側）に偏って洋服用ハンガーの首部挿通用の透孔を設け、該透孔を挟んで長手方向（短
辺側）に洋服用ハンガーの肩部支持用のコ字状長孔を設け、該コ字状長孔の側縁部を長辺方向に折り込み可能に山折り線を形成するとともに前記コ字状長孔の中心線部付近よりシート本体を二つ折りして、シート本体を前身頃部と後身頃部とに形成したことを特徴とする紙製の衣服陳列用ボデイトルソー。
【請求項２】
前記ハンガーの首部挿通用の透孔に、短円筒体を着脱自在に嵌合することを特徴とする請求項１記載の紙製の衣服陳列用紙製ボデイトルソー。
【考案の詳細な説明】
【技術分野】
【０００１】
この考案は、ブティックなど洋品店における衣服の販売促進のために、衣服を店頭陳列するのに用いる紙製の衣服陳列用ボディトルソーに関するものである。
【背景技術】
【０００２】
従来、デパートや洋品店などにおいて、婦人服やＴシャツその他の衣料品を販売するについて、立体的な人体形状のマネキンに衣類を着せて陳列を行うか、腕や顔がない上半身だけのボディトルソーに衣類を着せて陳列をおこなっている。
これらのディスプレー用具は、プラスチックや石こうなどで作られているため、使用後の廃棄処理に問題があるために廃棄処理を容易にしたマネキン、また紙製洋服ハンガー等が提案されている。
【特許文献１】実用新案登録第３０５３０７３号公報
【特許文献２】実用新案登録第２５１４８８９号公報
【考案の開示】
【考案が解決しようとする課題】
【０００３】
上述の販売促進のための衣服を着せて陳列するための全身像のマネキンあるいは、身体の一部を表したボディートルソーでの陳列は、広いスペースが必要であり、デパートなどの売場面積の広い一部の店舗では有効であるが、規模の小さい洋品店では陳列することが難しい問題がある。
【０００４】
また、マネキンやボディトルソーを使用しない時は、それらの保管場所が必要となる問題がある。また、多数の商品を展示するのに洋服用ハンガーに衣服を掛けてマネキンの代わりとしているが、洋服用ハンガーでは膨らみが出ないないため、マネキンやボディトルソーのような衣服のシルエットを綺麗に出すことができず、見栄えが悪い問題がある。
【０００５】
この考案は、洋服用ハンガーを用いての陳列であっても、衣服の形状を綺麗に見せることができ、不使用時でも邪魔にならない紙製の衣服陳列用ボディトルソーを提供しようとするものである。
【課題を解決するための手段】
【０００６】
この考案は上記の課題を解決するために、段ボール、板紙、合成紙などの横長矩形状のシート、該シートの隅部を面取りして直線と曲線から成るシート本体を形成し、該シート本体の中央部より上方（長辺側）に偏って洋服用ハンガーの首部挿通用の透孔を設け、該透孔を挟んで長手方向（短辺側）に洋服用ハンガーの肩部支持用のコ字状長孔を設け、またコ字状長孔の側縁部を長辺方向に折り込み可能に山折り線を形成するとともに、前記コ字状長孔の中心線部付近よりシート本体を二つ折りして、シート本体を前身頃部と後身頃部とに形成した紙製の衣服陳列用ボデイトルソーとしたことである。
【０００７】
また、前記ハンガーの首部挿通用の透孔に、短円筒体を着脱自在に嵌合する紙製の衣料品陳列用ボデイトルソーに形成したことである。
【考案の効果】
【０００８】
首部と肩部と吊下げ用針金から成る既製品の洋服用ハンガーを、この発明のボディトルソーのハンガー首部挿通用透孔に挿通すると、洋服用ハンガーの肩部は、コ字状長孔により外方に突出し、シート本体のコ字状長孔の側縁部を山折り形成したしたハンガー肩部支持片により支持される。
また、該ハンガー肩部支持片により前身頃と後身頃は外方向に押圧されスカートを開いた状態に広がるので、その状態で衣服を被せると衣服に膨らみが生じ、従来のボディトルソーと同様に立体的に見せることができるので、単に洋服用ハンガーに掛けたものに比べ宣伝効果を上げることができる。
【０００９】
また、洋服用ハンガーの首部挿通用透孔に円筒体を嵌合すると洋服用ハンガーの首部を隠すことができるので、洋服用ハンガーの首部が衣服の観賞する上で邪魔とならない。
【考案を実施するための最良の形態】
【００１０】
この考案は、段ボール、板紙、合成紙などの横長矩形状のシートを切り抜いて形成した、のみかかわらず、従来のボディトルソーと同様な立体的ディスプレ具を実現した。
【実施例】
【００１１】
この考案の最良の実施の形態を以下の実施例に基づいて説明する。
図１はこの考案の紙製の衣服陳列用ボディトルソーを組み立てた状態を示す図であり、図２はボディ部の展開図、図３は既製の洋服用ハンガーを装着した状態の斜視図、図４は使用状態を示す図である。
【００１２】
図において１はボディトルソー、２は横長矩形状の厚紙から成るシート本体であり、該シート本体２の隅部を面取りして短辺３と長辺４の直線と曲線５から成るシート本体２に形成する。
このシート本体２の中央部より上方の長辺４側に偏って、洋服用ハンガー１６の首部１７を挿通する透孔６を設ける。
【００１３】
この透孔６を挟んで対峙する位置で、かつ、長手方向（短辺方向）にコ字状の長孔７・７を穿設し、このコ字状長孔の側縁部７ａを長辺４方向に折り込む山折り線８を形成する。
このコ字状長孔７の側縁部７ａは、コ字状の長孔７・７の中心線７ｂよりシート本体２を二つ折りして形成された前身頃９、後身頃１０の前身頃９の下端縁９ａから起立する曲線５の頂点５ａとコ字状長孔７の基端部７ｃとを結ぶ線を山折り線８に形成する。
また後身頃１０の側縁から起立する曲線５の頂点５ｂとコ字状長孔７の基端部7cとを結ぶ線を山折り線８に形成し、該山折り線８よりコ字状長孔７の側縁部７ａを内方に折り込むことにより洋服用ハンガー１６の肩部１８を支持するための支持片１１に形成する。
【００１４】
なお、１２はシート本体２の折り曲げを容易にするための中心部山折り線である。また１３は前記洋服用ハンガーの首部挿通用透孔６に嵌合する円筒体である。
【００１５】
上記のとおりに構成したシート本体２をコ字状長孔７・７部の中心線又はその付近より二つ折りを容易にする山折り補助線部１４が形成されているので、中心山折り線部１２と相まって容易に二つ折りすることができる。
この様な状態で洋服用ハンガー１６を挿通しても良いが、図１に示すとおり円筒体１３を透孔６に嵌合組み立てたボディトルソー１に形成すると洋服ハンガー１６の首部１７が隠れるので、見栄えのよい陳列となる。なお、図中１９は吊下用針金である。
【００１６】
図４に示すとおりに構成したこの考案のボディトルソー１に展示物の衣服２０を被せると、前身頃９と後身頃１０とがスカートの裾のように広がっているので既製品の洋服用ハンガーを用いても陳列衣服に膨らみが生じ、従来のボディトルソーを用いたのと同様の効果が得られる。
また、不使用時には折り畳むことにより邪魔にならない上に、廃棄時には普通の家庭ゴミと同様に処分することができる。
また、厚紙で構成されているので安価に提供できる。
【図面の簡単な説明】
【００１７】
【図１】この考案の紙製のボディトルソーの斜視図である。
【図２】シート本体の展開図である。
【図３】既製の洋服用ハンガーに取付けた状態の斜視図である。
【図４】使用状態を示す図である。
【符号の説明】
【００１８】
１  ボディトルソー
２  シート本体
３  短辺
４  長辺
５  曲線部
５ａ  頂点
５ｂ  頂点
６  透孔
７  コ字状長孔
７ａ  コ字状長孔の側縁部
７ｂ  コ字状長孔の基端部
７ｃ  中心線
８  山折り線部
９  前身頃
１０  後身頃
１１  肩部支持片
１２  中心山折り線部
１３  円筒体
１４  山折り補助線部
１６  洋服用ハンガー
１７  首部
１８  肩部
１９  吊下用針金
２０  衣服
【図１】
0003121250.tif 000003
【図２】
0003121250.tif 000004
【図３】
0003121250.tif 000005
【図４】
0003121250.tif 000006